(57)【要約】      （修正有）【課題】簡素な構造を有しつつ、区画したい仕切り形状を自在に変更できる仕切具を安価に提供する。【解決手段】容器の仕切具１は、帯状を成す弾性体１０を備える。弾性体の全長Ｌ１は、該弾性体が収容される容器の長さ又は幅のいずれか小さい寸法に対して２〜１０倍である。弾性体の上辺１１には、複数の切込部１５が形成され、かつ、弾性体の下辺１２には、少なくとも１つの側辺１３，１４付近に切込部１６を形成する。また、弾性体は、例えば、シリコン等から作られている。仕切具１は、帯状を成す第２の板をさらに備えることが好ましい。仕切具１は、弁当箱、宝石箱、小物入れ等の容器に利用可能である。弾性体の上辺１１は、草むら形状、波形状、又は街路形状を表し、第２の板２０ａ，２０ｂ，２０ｃは、動物、海洋生物、又は車両の形状とする事もできる。【選択図】図１
0003164083.tif 000002
【実用新案登録請求の範囲】
【請求項１】
帯状を成す弾性体を備え、
前記弾性体の全長が、該弾性体が収容される容器の長さ又は幅のいずれか小さい寸法に対して２〜１０倍であり、
上記弾性体の上辺には、複数の切込部が形成され、かつ、
上記弾性体の下辺には、少なくとも１つの側辺付近に前記上辺の前記切込部と係合可能な切込部が形成されていることを特徴とする容器の仕切具。
【請求項２】
前記弾性体は、シリコン、エラストマー、ゴム、又はプラスチックフィルムから作られていることを特徴とする請求項１に記載の仕切具。
【請求項３】
前記上辺の前記切込部はその総数が５〜５０個であることを特徴とする請求項１又は２に記載の仕切具。
【請求項４】
前記上辺の前記切込部は等しいピッチで形成されていることを特徴とする請求項１〜３のいずれか１項に記載の仕切具。
【請求項５】
前記下辺の前記切込部の長さが、前記上辺の前記切込部位置にて残された前記弾性体の高さと同等であることを特徴とする請求項１〜４のいずれか１項に記載の仕切具。
【請求項６】
前記上辺が全体として草むら形状、波形状、又は街路形状を表すことを特徴とする請求項１〜５のいずれか１項に記載の仕切具。
【請求項７】
帯状を成す第２の板をさらに備え、
前記第２の板は前記弾性体の全長より著しく短い全長を有し、かつ、
前記第２の板の下辺には前記弾性体の前記上辺の前記切込部と係合可能な複数の切込部が形成されていることを特徴とする請求項１〜６のいずれか１項に記載の仕切具。
【請求項８】
前記第２の板が弾性体であり、前記第２の板の前記切込部の長さが、前記弾性体上辺の前記切込部位置での前記弾性体の高さと同等であることを特徴とする請求項１〜７のいずれか１項に記載の仕切具。
【請求項９】
前記第２の板が全体として動物、海洋生物、又は車両の形状を表すことを特徴とする請求項１〜８のいずれか１項に記載の仕切具。
【請求項１０】
前記容器が弁当箱、宝石箱、小物入れ容器、又は、文具入れ容器であることを特徴とする請求項１〜９のいずれか１項に記載の仕切具。
【考案の詳細な説明】
【技術分野】
【０００１】
本考案は、弁当箱や小物入れ等の容器内部をさらに細かく区画するため仕切具に関するものであり、詳しくは、区画したい仕切り形状を自在に変化できる仕切具に関するものである。
【背景技術】
【０００２】
従来、弁当箱等の容器に利用されている仕切具として、例えば、特許文献１〜４に開示された仕切具が既に提案されている。ここで、特許文献１に開示の仕切板は、三箇所以上の切込部が設けられた同一形状の仕切板を複数用意し、これらを互いに組み付けて用いるものである。
【０００３】
また、廉価な寿司や弁当に利用される仕切具として、「バラン」と呼ばれる合成樹脂製のフィルムが知られている。ここで、バランは、「葉蘭」ともいわれるように、ユリ科の多年生常緑草の葉に由来している関係上、一般に、葉に模した形状及び着色（緑色）が施されている。
【０００４】
特許文献２では、紙の表裏両面に樹脂層を形成し、かつ、凹凸状にエンボス加工を施すことで、通気性と吸水性に優れたバランが開示されている。また、特許文献３では、バランの色と形状を有しかつこれをＴ字型に組み合せた仕切が開示されている。
【０００５】
しかしながら、特許文献１や特許文献３に開示の仕切具は、通常、ポリプロピレン等の硬い板材を原料とし、倒れにくい堅固なＴ字型または十字型の構造をなすため、区画される空間の範囲や形状は著しく制限されてしまう。例えば、最近よく利用されている幅狭の細長形状の弁当箱に適用した場合には、長手方向に仕切板を平行移動できるだけである。
【０００６】
一方、特許文献２に開示のバランは、柔軟性を有するものの、弁当のごはんやおかず等の具の形状に応じてその形状が受動的に変化するだけであって、母親等、弁当を作る人がそのバランを使って積極的に種々の形状を作りだすようなものではない。
【０００７】
以上のような課題に対して、特許文献４では、曲げて使える仕切り具が提案されている。この仕切り具は、仕切り部本体がプラスチックで形成され、この本体にさらに帯状の弾性体が設置され、さらに当該弾性体内部に長手方向に延びた針金を芯材として設けた構造を有することで柔軟性と形状保持とを両立するものである。
【０００８】
しかしながら、製造の際には、複数の原材料を用意するとともに金属製の芯材を内部に組み込む複雑な追加工程を含むため、製造コストが著しく上昇してしまう。これは廉価が重視される弁当等の小物容器では大きな問題となる。また、繰り返し使用することで、芯材が突き出し又は剥き出したりする可能性もあり、防錆性や耐久性のリスクも挙げられる。さらに、弁当を温める為に電子レンジによって頻繁に加熱される弁当箱に金属製芯材を包含した仕切り具が載置されていた場合は、金属部分で極端に過熱する場合があり危険である。加えて、この金属製芯材を包含した仕切り具によって現実的に変更可能な形状は、多くてもＬ字型、Ｃ字型、Ｓ字型などであると考えられ、より複雑な形状を実現し得るものではなく、改善の余地がある。
【先行技術文献】
【特許文献】
【０００９】
【特許文献１】登録実用新案第３１２６６０５号公報
【特許文献２】実開平６−２３５号公報
【特許文献３】特開２００２−２７２５２３号公報
【特許文献４】特開２００６−１８１３２６号公報
【考案の概要】
【考案が解決しようとする課題】
【００１０】
本考案は、このような従来の実情に鑑みて提案されたものであり、従来の技術が有する欠点を排除した仕切具を提供することを目的とする。すなわち、本考案は、簡素な構造で、区画したい仕切り形状を自在に変更できる仕切具を安価に提供することを目的とする。
【課題を解決するための手段】
【００１１】
本考案者は鋭意検討した末、従来のバランや仕切板の長さは弁当箱の縦方向又は横方向の長さ以下であるものが大半であること、これにより十字型又はＴ字型の仕切形状を形成するには別の仕切板を組み付ける必要があったこと、防錆性、耐久性、製造面等を考慮すると金属等の別部材の使用を排除しなるべく一つの原料のみで製造すべきであることに気付いた。その上で、弁当箱の上記寸法より十分に長い帯状弾性体を用意し、その上下の辺に複数のスリット（切込部）を適宜設けるように構成すれば、仕切り形状を自在に変更できる仕切具を簡素かつ安価に提供できることを見出し、本考案を完成するに至った。
【００１２】
すなわち、本考案は、少なくとも次の構成・特徴を採用するものである。
１．帯状を成す弾性体を備え、
前記弾性体の全長が、該弾性体が収容される容器の長さ又は幅のいずれか小さい寸法に対して２〜１０倍であり、
上記弾性体の上辺には、複数の切込部が形成され、かつ、
上記弾性体の下辺には、少なくとも１つの側辺付近に前記上辺の前記切込部と係合可能な切込部が形成されていることを特徴とする容器の仕切具。
２．前記弾性体は、シリコン、エラストマー、ゴム、又はプラスチックフィルムから作られていることを特徴とする１に記載の仕切具。
３．前記上辺の前記切込部はその総数が５〜５０個であることを特徴とする１又は２に記載の仕切具。
４．前記上辺の前記切込部は等しいピッチで形成されていることを特徴とする１〜３のいずれか１項に記載の仕切具。
５．前記下辺の前記切込部の長さが、前記上辺の前記切込部位置にて残された前記弾性体の高さと同等であることを特徴とする請求項１〜４のいずれか１項に記載の仕切具。
６．前記上辺が全体として草むら形状、波形状、又は街路形状を表すことを特徴とする１〜５のいずれか１項に記載の仕切具。
７．帯状を成す第２の板をさらに備え、
前記第２の板は前記弾性体の全長より著しく短い全長を有し、かつ、
前記第２の板の下辺には前記弾性体の前記上辺の前記切込部と係合可能な複数の切込部が形成されていることを特徴とする請求項１〜６のいずれか１項に記載の仕切具。
８．前記第２の板が弾性体であり、前記第２の板の前記切込部の長さが、前記弾性体上辺の前記切込部位置での前記弾性体の高さと同等であることを特徴とする１〜７のいずれか１項に記載の仕切具。
９．前記第２の板が全体として動物、海洋生物、又は車両の形状を表すことを特徴とする１〜８のいずれか１項に記載の仕切具。
１０．前記容器が弁当箱、宝石箱、小物入れ容器、又は、文具入れ容器であることを特徴とする１〜９のいずれか１項に記載の仕切具。
【考案の効果】
【００１３】
本考案の仕切具は、以上のようにこれを収容する容器に対して著しく長い帯状弾性体で構成され、立設した状態で上辺や下辺に適宜、切込部が形成されているため、従来の仕切具では成し得なかった様々な仕切り形状での区画が実現できる。
【００１４】
さらに、本考案の仕切具は、以上のように簡素な構造であるため、製造が容易でかつ製造コストを著しく抑制することができる。また、金属や紙等の原材料を使用しないため、防錆性や耐久性に優れる。
【００１５】
さらに、本考案の仕切具は、以上のように構成部材にデザイン的装飾を追加することができる。このデザイン的装飾と仕切り形状のバリエーションとを自在に組み合わせることで、容器内に楽しい空間を演出することができる。また、本考案のユーザーが子供である場合には、子供の創意工夫能力を刺激するため、単なる仕切具を超えた知育玩具としての利用も期待できる。
【図面の簡単な説明】
【００１６】
【図１】実施例１の仕切具を示した正面図である。
【図２】他の実施例（実施例２及び実施例３）の仕切具を示した正面図である。
【図３】本考案の仕切具の使用状態を説明した斜視図である。
【図４】本考案の仕切具の使用状態を説明した写真である。
【図５】本考案の仕切具が実現可能な仕切り形状を示した正面図である。
【図６】本考案の仕切具が実現可能な仕切り形状を示した正面図である。
【考案を実施するための形態】
【００１７】
以下、本考案を図面に示す実施の形態に基づき説明するが、本考案は、下記の具体的な
実施形態に何等限定されるものではない。
【実施例１】
【００１８】
（仕切具の構造・特徴）
図１は、本考案の実施例１に係る仕切具１を示した正面図を示す。この仕切具１は、帯状を成す弾性体１０を少なくとも一本有する。この考案の仕切具１を構成する弾性体１０は、従来製品に比べ、その全長Ｌ１が著しく長いことが大きな特徴である。つまり、弾性体１０の全長が、該弾性体１０が収容される容器（例えば、弁当箱）の長さ又は幅のいずれか小さい寸法に対して２〜１０倍にもなることである。例えば、弁当箱の幅が５０ｍｍであった場合、弾性体１０の全長Ｌ１はＬ１＝１００ｍｍ〜５００ｍｍになる（好ましくは、Ｌ１＝１５０ｍｍ〜３００ｍｍである）。
【００１９】
また、弾性体１０の上辺１１には、複数の切込部１５が形成されている。加えて、弾性体１０の下辺１２には、少なくとも１つの側辺１３，１４付近に切込部１６が形成されている。これらの切込部１５，１６を弾性体１０に上述のように形成することで、十分な弾性を有した弾性体１０を所望の仕切り形状に曲げた状態で、上辺１１の切込部１５の位置に下辺１２の切込部１６を引っ掛けることで、この仕切り形状を保持することが可能となる。
【００２０】
なお、切込部１６が下辺１２の側辺１３，１４付近にのみ形成する理由は、仮に切込部１６が上辺１１の切込部１５と同様に弾性体１０の長手方向中央やその他箇所に設けられると、切り込部１５と切込部１６とが極めて近接し、使用中に、その近接した箇所から破断してしまう恐れがあり、耐久性の面から望ましくないと考えられた為である。
【００２１】
なお、弾性体１０の原材料として、例えば、シリコン、エラストマー、ゴム、又はプラスチックフィルムが挙げられ、その中でも、柔軟で耐熱・耐寒性に優れるシリコンが最も好ましい。
【００２２】
また、弾性体１０の高さＨ１は、仕切具１が収容される容器の大きさに応じて異なるが、Ｈ１の取り得る範囲が２０ｍｍ〜５０ｍｍとなることが好ましい。また、図示しないが、弾性体１０の厚みは、３ｍｍ以下となることが好ましい。この厚みが３ｍｍより大きくなると、帯状の弾性体１０が曲がりにくくなるとともに原材料コストも上昇してしまうからである。一方、この厚みの下限については、特段の制限は無いが、現実的には０．１ｍｍ以上である。
【００２３】
なお、上辺１１の切込部１５はその総数が５〜５０個であることが好ましく、さらに、切込部１５は等しいピッチで形成されていること好ましい。このように多数の切込部１５が整然と形成されることで、下辺１２の切込部１６引っ掛けて固定できる箇所が上辺１１全体に亘って著しく増加し、仕切り形状のバリエーションをさらに増やすことになる。
【００２４】
さらに、下辺１２の切込部１６の長さＬ２が、上辺１１の切込部１５位置にて残された弾性体１０の高さＨｒと同等であることが好ましい。これにより、弾性体１０を曲げて切込部１６を切込部１５位置に固定した際に切込部１６付近の下辺１２が、これが嵌め込まれた切込部１５位置の下辺１２の位置まで落とし込むことができるため、より美しく正確に容器を区画することが可能となる。
【００２５】
また、図１に示すように、本考案の仕切具１は、帯状を成す第２の板２０（図示の例では、２０ａ，２０ｂ，２０ｃ）をさらに備えることが好ましい。第２の板２０は、弾性体１０の全長Ｌ１より著しく短い全長Ｌ３（Ｌ３ａ，Ｌ３ｂ，Ｌ３ｃ）を有する。この第２の板２０ａ〜２０ｃの下辺２１（２１ａ，２１ｂ，２１ｃ）には複数の切込部２２（２２ａ，２２ｂ，２２ｃ）が形成されていることが好ましい。なお、第２の板２０の高さＨ２（Ｈ２ａ，Ｈ２ｂ，Ｈ２ｃ）や厚み（図示せず）は、弾性体１０の上述の高さＨ１と厚みとほぼ同等である。
【００２６】
第２の板２０ａ〜２０ｃの上述のような切込部２２ａ〜２２ｃを、弾性体１０の上辺１１の複数の切込部１５のうち下辺１２の切込部１６が固定されていない切込部１５に嵌め込む（つまり係止する）ことで、より複雑で趣向を凝らした仕切り形状を表現・演出することが可能となる。
【００２７】
例えば、実施例１の仕切具１に使用される弾性体１０は、その上辺１１が全体として草むらの形状を表し、第２の板２０ａ〜２０ｃは、カバ、サイ、ワニ等の動物を表しており、これらの部材１０，２０ａ〜２０ｃを組み合わせることで、弁当箱等の容器内に動物園の情景を作りだすことが可能になる。従って、母親等の弁当を用意する人は、具の盛り付け方や仕切り方について、より楽しんで創意工夫を凝らすようになり、その弁当を預けられた子供は、弁当の具そのものだけでなく、本考案によって演出された情景を楽しみかつ母親の愛情を感じながら、弁当を堪能することができる。
【００２８】
なお、第２の板２０ａ〜２０ｃも弾性体であることが好ましく、第２の板２０ａ〜２０ｃの切込部２２ａ〜２２ｃの長さＬ４（Ｌ４ａ，Ｌ４ｂ，Ｌ４ｃ）も、弾性体１０の下辺１２に設けられた切込部１６と同様の理由から、弾性体１０の上辺１１の切込部１５位置での弾性体１０の高さＨｒと同等であることが好ましい。
【実施例２】
【００２９】
図２（ａ）に本考案の実施例２に係る仕切具１の正面図を示す。実施例２に係る仕切具１の弾性体１０及び第２の板２０ａ〜２０ｃは、後述の点を除けば、その基本的な構造や作用効果は実施例１の場合と同様であり、これらについての説明は省略する（後述の実施例３も同様である）。
【００３０】
実施例２に係る弾性体１０では、図２（ａ）に示すように、その上辺１１が全体として波形状を表し、また、第２の板２０ａ〜２０ｃが、蟹、マグロ、クジラ等の海洋生物を表しており、これらの部材１０，２０ａ〜２０ｃを組み合わせることで、弁当箱等の容器内に水族館の情景を作りだすことが可能になる。
【実施例３】
【００３１】
実施例３に係る弾性体１０では、図２（ｂ）に示すように、その上辺１１が全体として建物が並んだ街路形状を表し、また、第２の板２０ａ〜２０ｃは、車、バス、電車等の車両を表しており、これらの部材１０，２０ａ〜２０ｃを組み合わせることで、弁当箱等の容器内に街並みの情景を作りだすことが可能になる。
【００３２】
（本考案の仕切具の使用状態および実現可能な仕切り形状の例示）
図３（ａ）に、上述の仕切具１を弁当箱３０に載置した状態を示した斜視図を示し、この図（３）（ｂ）に対応する状態の正面図を示す。なお、図（３）（ｂ）では、仕切具１が形成する仕切り形状の見易さと説明の便宜の為、上辺１１の切込部１５等の表示を省略している（後述の図５及び図６に示す正面図の表示も同様である。）。
【００３３】
図３（ｂ）に示すように、仕切具１によって形作られた形状はＱ字型であり、Ｑ字型内部に区画された小領域はマヨネーズやケチャップを入れる場所として、その一方、これより外の大領域は揚げ物等を入れる場所としての利用が考えられる。また、図４に本考案の仕切具１を実際に使用した状態を示した写真を示す。
【００３４】
図５及び図６に本考案の仕切具１が実現可能な仕切り形状のバリエーションを例示する。図５（ａ）、（ｂ）、（ｃ）、及び（ｄ）にそれぞれ示すように、本発明の仕切具１は、弁当箱３０に、比較的大きな丸型（Ｏ字型）、Ｓ字型、波形、及び比較的小さな二重丸型の仕切り形状・空間を表現・区画することができる。
【００３５】
さらに、図６（ａ）、（ｂ）、及び（ｃ）にそれぞれ示すように、本発明の仕切具１は、弁当箱３０に、８の字型（横置き）、Ｂ字型あるいはハート型、及び変形した８の字型の仕切り形状・空間を表現・区画することができる。このように本発明の仕切具１は、簡素な構成で、従来品には見られない種々の形状バリエーションを提供するものである。なお、図示の仕切り形状のバリエーションは、あくまで例示であって、上記形状に限定されず、その他の形状を創出することが可能である。
【産業上の利用可能性】
【００３６】
従来から、弁当箱等の容器にバラン等の仕切具が利用されてきたが、本考案の仕切具は従来の仕切具よりも容器に対して著しく長い帯状弾性体を使用し、その上辺と下辺との適切な位置に切込部を設けているために、区画可能な仕切り形状のバリエーションを飛躍的に高めることができる。また、デザイン性の有る第２の板をさらに用意し、上述の帯状弾性体に組み付けることで非常に趣向を凝らした情景を収納空間中に演出することができる。
【００３７】
本考案の仕切具は、弁当箱、宝石箱、小物入れ、文具入れ等の容器を区画する仕切具として適用可能であり、また、机等に設けられた棚の引出を整理するための仕切具としても利用可能であり、適用範囲が広範である。以上のように、本考案の仕切具は、産業上の利用可能性が非常高い。
【符号の説明】
【００３８】
１    仕切具
１０    弾性体
１１    弾性体の上辺
１２    弾性体の下辺
１３，１４    弾性体の側辺
１５    弾性体の切込部
１６    弾性体の切込部
２０（２０ａ，２０ｂ，２０ｃ）    第２の板
２１（２１ａ，２１ｂ，２１ｃ）    第２の板の下辺
２２（２２ａ，２２ｂ，２２ｃ）    第２の板の切込部
３０    弁当箱（容器の例示）
Ｌ１    弾性体の全長
Ｌ２    弾性体の切込部の長さ
Ｌ３（Ｌ３ａ，Ｌ３ｂ，Ｌ３ｃ）    第２の板の全長
Ｌ４（Ｌ４ａ，Ｌ４ｂ，Ｌ４ｃ）    第２の板の切込部の長さ
Ｈ１    弾性体の高さ
Ｈ２（Ｈ２ａ，Ｈ２ｂ，Ｈ２ｃ）    第２の板の高さ
Ｈｒ    弾性体の切込部位置での高さ
【図１】
0003164083.tif 000003
【図２】
0003164083.tif 000004
【図３】
0003164083.tif 000005
【図５】
0003164083.tif 000006
【図６】
0003164083.tif 000007
【図４】
0003164083.tif 000008